(57)【要約】【課題】単色印刷の印刷開始時のウォームアップ時間を短縮することができ、且つウォームアップ時間の状況に基づき印刷モードの選択を可能とする。【解決手段】選択された印刷モードに使用するインクの温度が保証温度範囲内であるか否かを判別し、インクの温度が保証温度に達していない場合、インクのウォームアップを行うため、選択された印刷モードで使用しないインクの温度調節部５８に供給される電力を、選択された印刷モードに使用するインクの温度調節部５８に供給制御する。また、インクにウォームアップが必要な場合は、印刷モード毎のウォームアップ時間を算出して表示するとともに、表示されたウォームアップ時間に基づき印刷モードの変更可能なように印刷モードの選択ボタンを操作表示部４０に表示する。【選択図】図２
2010274448.tif 000002
【特許請求の範囲】
【請求項１】
インクの温度を検出する温度検出手段と、前記インクが印刷可能な保証温度範囲内となるよう加温又は冷却する温度調節部とを、前記インク毎に独立して備え、
印刷開始時に前記温度検出手段で前記インクの温度を検出し、単色印刷又は複数色印刷のうち何れかの印刷モードで使用するインクの温度が前記保証温度となるように前記温度調節部で温度調節し、当該温度調節したインクをインクジェットへッドから選択的に吐出して被記録媒体に所望の画像形成を行う画像形成装置において、
前記選択された印刷モードで使用する前記インクの温度が前記保証温度範囲内であるか否かを判別し、前記インクの温度が前記保証温度に達していない場合は、前記インクのウォームアップを行うため、前記選択された印刷モードで使用しない前記インクの温度調節部に供給される電力を、前記選択された印刷モードに使用する前記インクの温度調節部に供給制御する制御部を備えたことを特徴とする画像形成装置。
【請求項２】
印刷処理の際に、前記インクジェットへッドに供給された前記インクのうち、印刷で消費されなかったインクを再び前記インクジェットヘッドに供給するために前記インクを循環させる循環流路が前記インク毎にそれぞれ独立して装置本体内に設けられていることを特徴とする請求項１記載の画像形成装置。
【請求項３】
前記制御部は、
前記インク毎の保証温度を記憶する記憶手段と、
該記憶手段に記憶された前記インクの保証温度と、印刷開始時に前記温度検出手段で検出した前記インクの温度との差分値を用いて、前記印刷モード毎の前記インクのウォームアップ時間をそれぞれ算出する演算手段と、
該演算手段で算出された前記印刷モード毎のウォームアップ時間を、装置本体に具備された操作表示部に視認可能に表示制御する表示制御手段と、
を備えたことを特徴とする請求項１又は２記載の画像形成装置。
【請求項４】
前記表示制御手段は、前記単色印刷で使用する前記インクのウォームアップが完了している状態で、次回の印刷ジョブが前記複数色印刷のとき、他の印刷モードに変更するための選択ボタンを前記操作表示部に表示制御することを特徴とする請求項３記載の画像形成装置。
【請求項５】
前記インクジェットへッドは、前記被記録媒体の搬送方向と直交する方向と平行に配置され、前記被記録媒体の記録可能な全幅に対応した長さを有するライン型インクジェットへッドであることを特徴とする請求項１〜４の何れかに記載の画像形成装置。
【発明の詳細な説明】
【技術分野】
【０００１】
本発明は、インクジェットヘッドからインクを吐出して被記録媒体上に画像形成を行う画像形成装置に係り、特に単色印刷における印刷開始時のウォームアップ時間が短縮し、且つウォームアップ時間の状況に応じて印刷モードが変更可能な画像形成装置に関する。
【背景技術】
【０００２】
従来、用紙などの被記録媒体に対してユーザ所望の画像を形成する画像形成装置として、形成する画像に応じて選択的にインクの吐出制御を行うインクジェット方式を採用したインクジェット記録装置が知られている。このインクジェット記録装置は、被記録媒体にインクを吐出するインクジェットヘッドと、交換可能なインクボトルと、インクボトルからのインクを一時的に貯留するインクタンクと、インクタンクのインクをインクジェットヘッドに供給するとともに印刷時に消費されなかったインクを再度インクタンクへ戻すためのインク循環用のインク循環流路と、インク流路内で順方向または逆方向にインクを循環させる加圧ポンプとを備え、インクタンク内の専用インクをインクジェットヘッドのノズルから微小なインク滴として吐出することにより、印刷媒体に対して画像を形成するものである。
【０００３】
そして、下記特許文献１に記載のように、インクジェット記録装置では、良好な印刷結果を得るために、インクの性能を保証する保証温度が定められている。このため、下記特許文献２に記載のように、インクを循環させるインク循環型のインクジェット記録装置において、インクの性能を保証するためにインクを加温するヒータと、インクを冷却する冷却器とを備え、インクが保証温度以下であるときはヒータでインクを加温し、インクが保証温度以上のときは冷却器でインクを冷却することが提案されている。
【先行技術文献】
【特許文献】
【０００４】
【特許文献１】特開２００４−２７６４８６号公報
【特許文献２】特開２００６−８８５７５号公報
【発明の概要】
【発明が解決しようとする課題】
【０００５】
このように、インク循環型のインクジェット記録装置では、印刷開始時におけるインクの温度がメーカー規定の保証温度に達していない場合に、現在のインクの温度に基づき加温又は冷却して温度調節を行い、保証温度までウォームアップしてから印刷する必要がある。
【０００６】
しかしながら、インク循環型であるインクジェット記録装置は、インクタンクとインクジェットヘッドとの間でインクを循環させるインク循環流路を有するため、非循環型のインクジェット記録装置に比べてウォームアップが必要なインク量が多い。従って、限度ある電力量でインクタンク及びインク流路内全てのインクを印刷可能な保証温度まで加温するとなると、ウォームアップに時間を要し、印刷開始までの時間が長くなってしまうという問題があった。また、企業や学校などで使用される産業用の大型インクジェット記録装置では、大量印刷を主としているため必然的にインクボトルが大容量となり、ウォームアップ時間がさらに増大してしまうという問題もあった。
【０００７】
そこで、ヒータの電力を上げてインクを温めることで印刷開始までの時間を短縮させることが可能であるが、電力消費量を増加させることになり、電源のコストアップを招くという問題があった。
【０００８】
さらに、従来のインクジェット記録装置では、ユーザが印刷を開始する際に、備え付けの表示装置に単色印刷（モノクロ印刷や単色カラー印刷）か複数色印刷（２色印刷やフルカラー印刷）かの表示しかされず、それぞれの印刷開始までに要する時間は表示されていなかった。従って、ユーザに対して単色印刷か複数色印刷を行うかという画像に対する選択肢しか与えておらず、画像よりも時間要求度の高いユーザに対する考慮がなされていなかった。
【０００９】
そこで、本発明は上記問題点に鑑みてなされたものであり、単色印刷の印刷開始時のウォームアップ時間を短縮することができ、且つウォームアップ時間の状況に基づき印刷モードの選択が可能な画像形成装置を提供することを目的とするものである。
【課題を解決するための手段】
【００１０】
上記した目的を達成するために、請求項１記載の画像形成装置は、インクの温度を検出する温度検出手段と、前記インクが印刷可能な保証温度範囲内となるよう加温又は冷却する温度調節部とを、前記インク毎に独立して備え、
印刷開始時に前記温度検出手段で前記インクの温度を検出し、単色印刷又は複数色印刷のうち何れかの印刷モードで使用するインクの温度が前記保証温度となるように前記温度調節部で温度調節し、当該温度調節したインクをインクジェットへッドから選択的に吐出して被記録媒体に所望の画像形成を行う画像形成装置において、
前記選択された印刷モードで使用する前記インクの温度が前記保証温度範囲内であるか否かを判別し、前記インクの温度が前記保証温度に達していない場合は、前記インクのウォームアップを行うため、前記選択された印刷モードで使用しない前記インクの温度調節部に供給される電力を、前記選択された印刷モードに使用する前記インクの温度調節部に供給制御する制御部を備えたことを特徴とする。
【００１１】
請求項２記載の画像形成装置は、請求項１記載の画像形成装置において、印刷処理の際に、前記インクジェットへッドに供給された前記インクのうち、印刷で消費されなかったインクを再び前記インクジェットヘッドに供給するために前記インクを循環させる循環流路が前記インク毎にそれぞれ独立して装置本体内に設けられていることを特徴とする。
【００１２】
請求項３記載の画像形成装置は、請求項１又は２記載の画像形成装置において、前記制御部は、
前記インク毎の保証温度を記憶する記憶手段と、
該記憶手段に記憶された前記インクの保証温度と、印刷開始時に前記温度検出手段で検出した前記インクの温度との差分値を用いて、前記印刷モード毎の前記インクのウォームアップ時間をそれぞれ算出する演算手段と、
該演算手段で算出された前記印刷モード毎のウォームアップ時間を、装置本体に具備された操作表示部に視認可能に表示制御する表示制御手段と、
を備えたことを特徴とする。
【００１３】
請求項４記載の画像形成装置は、請求項３記載の画像形成装置において、前記表示制御手段は、前記単色印刷で使用する前記インクのウォームアップが完了している状態で、次回の印刷ジョブが前記複数色印刷のとき、他の印刷モードに変更するための選択ボタンを前記操作表示部に表示制御することを特徴とする。
【００１４】
請求項５記載の画像形成装置は、請求項１〜４の何れかに記載の画像形成装置において、前記インクジェットへッドは、前記被記録媒体の搬送方向と直交する方向と平行に配置され、前記被記録媒体の記録可能な全幅に対応した長さを有するライン型インクジェットへッドであることを特徴とする。
【発明の効果】
【００１５】
本発明の画像形成装置によれば、印刷モードが単色印刷の際に、ウォームアップ時に温度調節を行わない複数色印刷で使用するインク温度調節用の電力を単色印刷で使用するインク温度調節用の電力に加えて供給して単色印刷で使用するインクの温度制御を行うため、ウォームアップ効率が向上し、従来よりもウォームアップ時間を短縮することができる。
【００１６】
また、ユーザにウォームアップが完了するまでに要する時間を認知させてから印刷モードが選択できるようになり、画質要求度より時間要求度が高いユーザに対し、画質の選択肢に加えて印刷時間の選択肢を与えることができる。
【図面の簡単な説明】
【００１７】
【図１】本発明に係る画像形成装置の装置構成を示す概略構成図である。
【図２】同画像形成装置におけるインク流路関連の構成を示す概略構成図である。
【図３】同画像形成装置のインク流路関連のシステム構成を示すブロック図である。
【図４】同画像形成装置における印刷モード毎のウォームアップ時間の表示例を示す概念図である。
【図５】同画像形成装置における印刷モード毎のウォームアップ時間の他の表示例を示す概念図である。
【図６】同画像形成装置におけるモノクロ印刷選択時の電力供給制御を説明するための回路図である。
【図７】同画像形成装置におけるフルカラー印刷選択時の電力供給制御を説明するための回路図である。
【図８】同画像形成装置における前回の印刷モードと異なる印刷モード選択時の電力供給制御を説明するための回路図である。
【図９】同画像形成装置における印刷開始時のウォームアップ処理動作を示すフローチャート図である。
【図１０】同画像形成装置における次回の印刷モードに基づくウォームアップ処理動作を示すフローチャート図である。
【発明を実施するための形態】
【００１８】
以下、本発明を実施するための形態について、添付した図面を参照しながら詳細に説明する。
【００１９】
本例の画像形成装置は、Ｃ（シアン）、Ｍ（マゼンダ）、Ｙ（イエロー）、Ｋ（ブラック）の何れかを貯留したインクボトルと各インクに対応し、被記録媒体の搬送方向と直交する方向と平行に配置され、前記被記録媒体の記録可能な全幅に対応した長さを有するライン型インクジェットヘッドとの間にインク流路である循環流路が設けられ、印刷中にインクボトルからのインクがインク流路内を絶えず循環するインク循環式のインクジェット記録装置である。
【００２０】
そして、印刷開始時に循環流路内を循環するインクの温度を検出して使用するインクが印刷可能な保証温度であるか否かを照合し、現在のインクの温度が保証温度に達していない場合に、インクの温度が保証温度となるよう印刷モード（単色印刷又は複数色印刷）に基づく最適な電力供給で温度調節が行える機能を備えている。
【００２１】
なお、以下の説明では、使用するインクの種類として、Ｃ（シアン）、Ｍ（マゼンダ）、Ｙ（イエロー）、Ｋ（ブラック）の４色を用いた例であるが、印刷モードとして単色及び複数色印刷が実施可能であれば、インクの種類や数、設置する順番等は特に限定されない。また、印刷モードは、単色印刷としてＫインクを用いた「モノクロ印刷」、複数色印刷としてＣＭＹＫの４色を用いた「フルカラー印刷」を行う構成例で説明する。
【００２２】
［画像形成装置の構成］
まず、本発明に係る画像形成装置の装置構成について、図１〜３を参照しながら説明する。
【００２３】
＜装置の概略構成＞
図１に示すように、本例の画像形成装置１は、被記録媒体である多数枚の用紙を積載して収納する給紙トレイ１１から用紙を１枚ずつ取り出し所定の給紙タイミングで搬送路に沿って規制しながら供給する給紙部１０、ＣＭＹＫの各インクを選択的に吐出制御して給紙部１０からの用紙に対し所定の印刷タイミングで画像形成をする画像形成部２０、画像形成部２０において印刷が終了した用紙を搬送して排紙トレイ３１に排紙する排紙部３０を備えている。また、装置本体の所定箇所に設けられ、液晶ディスプレイなどの表示パネル４１、方向キー（上下左右）やテンキーや各種設定キーなどの操作キー４２からなり、印刷モードの選択や各種印刷処理に関する内容の入力や表示を行う操作表示部４０を備えている。
【００２４】
さらに、画像形成装置１には、ＣＭＹＫ何れかのインクが貯留されたインクボトル５０と各インクに対応したインクジェットへッド５１ａとの間でインクを循環させるためのインク流路５９（供給流路５９ａ及び循環流路５９ｂ）が設けられ、印刷開始時のインクの温度を検出し、このインクが保証温度に達していない場合は保証温度範囲内に入るように印刷モードに応じた最適な電力供給によって温度制御が行われている。
【００２５】
＜インク流路関連の構成＞
図２に示すように、本例の画像形成装置１におけるインク流路関連の構成は、ＣＭＹＫの何れかのインクを貯留した着脱可能なインクボトル５０、上部タンク５３から供給されたインクを吐出するインクジェットへッド５１ａと印刷開始時のインクの温度を検出する温度検出手段５１ｂを有し印刷時に画像に応じたインクを吐出するヘッドユニット５１、インクボトル５０から供給されたインクを一時的に貯留する下部タンク５２、ヘッドユニット５１にインクを供給する上部タンク５３、インクを循環流路５９ｂ内で循環させるための負圧を発生させるポンプ５４、インク加温手段としてのヒータ５５とインク冷却手段としてのヒートシンク５６及びファン５７を有し印刷開始時に後述する制御部６０の制御によりインクを加温又は冷却してインクの温度を保証温度範囲内にする温度調節部５８を備えている。
【００２６】
次に、インク流路５９について説明すると、インクボトル５０と下部タンク５２との間には、インクボトル５０に貯留されたインクを下部タンク５２に供給するための流路である供給流路５９ａが設けられている。また、下部タンク５２とポンプ５４との間、ポンプ５４と温度調節部５８との間、温度調節部５８と上部タンク５３との間、上部タンク５３とヘッドユニット５１との間、ヘッドユニット５１と下部タンク５２との間がそれぞれ流路接続され下部タンク５２からのインクがポンプ５４、温度調節部５８、上部タンク５３、ヘッドユニット５１を通って再度下部タンク５２に戻るようにするための流路である循環流路５９ｂが設けられている。この供給流路５９ａと循環流路５９ｂは、共に耐インク性を有する樹脂製のチューブ又は金属製のパイプで形成されている。
【００２７】
上記インク流路５９において、インクボトル５０に貯留されたインクは、まず供給流路５９ａを通って下部タンク５２に一時的に貯留される。下部タンク５２に貯留されたインクは、循環流路５９ｂの一部を大気開放した状態でポンプ５４を駆動することで発生する負圧により温度調節部５８を通過して上部タンク５３に送られ、ヘッドユニット５１に導かれる。また、印刷時にヘッドユニット５１で消費されなかったインクは、下部タンク５２に戻される。さらに、上部タンク５３からヘッドユニット５１へのインク供給及びヘッドユニット５１で消費されなかったインクの下部タンク５２への帰還は、上流タンク内のインク液面と下部タンク５２のインク液面の高さの差（水頭差）により行われている。
【００２８】
なお、図示の例では、インクは１種類のみを示しているが、実際は複数色印刷が可能なように、少なくとも２種類以上のインクが用いられており、使用するインク毎にインク流路５９が設けられている。
【００２９】
＜インク流路関連のシステム構成＞
次に、本例の画像形成装置１におけるインク流路関連のシステム構成について詳細に説明する。本例の画像形成装置１は、循環流路５９ｂ内を循環するインクの温度が保証温度に達しているか否かの判別を行い、その判別結果に基づきインクを加温又は冷却してインクを保証温度となるように制御している。
【００３０】
図３に示すように、制御部６０は、例えばＣＰＵやＲＯＭ，ＲＡＭなどのマイクロコンピュータで構成され、記憶手段６１、制御判別手段６２、演算手段６３、表示制御手段６４、電力制御手段６５を備えている。制御部６０は、ユーザ所望の印刷モードによる印刷処理、印刷開始時にインクの温度を保証温度範囲内にするためのインクの温度制御、ウォームアップ（インクの温度が保証温度に達していない場合にインクを保証温度に温度調節する処理である）が完了するまでの時間の表示や印刷モードの選択表示などの印刷時の表示制御の他、画像形成装置１を構成する各部の処理制御を行っている。
【００３１】
記憶手段６１は、例えば磁気的、光学的記憶媒体若しくはＲＯＭ、ＲＡＭなどの半導体メモリで構成され、画像形成装置１を駆動する際に必要な各種駆動データを記憶している。また、記憶手段６１は、最適な印刷を行うためのインクの温度である保証温度をインク毎に記憶している。この保証温度は、予め実験等に基づき設定され、印刷時におけるインクの滲みや発色不足、インク粘度の変化によるインク吐出不良を防止して最適なインク状態でインクジェットへッド５１ａから吐出するためのインク固有の温度であり、様々な使用環境に対応可能とするため、所定の温度幅（例えば１５℃〜４０℃）を有している。
【００３２】
制御判別手段６２は、選択された印刷モードに基づく印刷処理を行うためのインクジェットヘッド５１ｂの駆動制御、用紙の給紙や排紙に係る制御、ポンプ５４の駆動によるインク循環制御など、画像形成装置１を構成する各部の駆動制御を行っている。また、制御判別手段６２は、印刷開始時にヘッドユニット５１に配置された温度検出手段５１ａで検出したインクの温度と記憶手段６１に記憶されたインクの保証温度とに基づき、使用するインクが保証温度に達してるか否かの判別を行っている。
【００３３】
すなわち、制御判別手段６２において、印刷開始時にインクが保証温度に達していると判別したときは、ウォームアップが完了しているため、ウォームアップ完了を示すウォームアップ完了情報を表示制御手段６４に出力している。また、印刷開始時にインクが保証温度に達していないと判別したときは、まだウォームアップが完了していないため、ウォームアップが完了するまでの時間を算出するためのウォームアップ時間算出信号を演算手段６３に出力している。
そして、ウォームアップ時間算出後、ユーザによって前回の印刷モードと異なる印刷モードが選択されると、その選択した印刷モードで使用するインクを保証温度範囲内にするのに加温制御又は冷却制御のどちらが最適かを示す温度制御情報を電力制御手段６５に出力している。
【００３４】
さらに、制御判別手段６２は、印刷処理終了後に控えている次回の印刷ジョブがモノクロ印刷かフルカラー印刷かを判別しており、次回の印刷ジョブが前回の印刷モードと同一であった場合は、使用するインクのウォームアップが完了しているため即座に印刷処理を開始している。
また、次回の印刷ジョブが前回の印刷モードと同一でなかった場合は、使用するインクのウォームアップがまだ完了していないため、ウォームアップが完了するまでの時間を算出するためのウォームアップ時間算出信号を演算手段６３に出力している。そして、ウォームアップ時間算出後にユーザによって前回の印刷モードと異なる印刷モードが選択されると、その選択した印刷モードで使用するインクを保証温度範囲内にするのに加温制御又は冷却制御のどちらが最適かを示す温度制御情報を電力制御手段６５に出力している。
【００３５】
さらに、制御判別手段６２は、選択された印刷モードのインクが保証温度に達している場合は、温度調節部５８へ加温制御又は冷却制御を停止させる温度制御停止信号を電力制御手段６５に出力している。
【００３６】
なお、制御判別手段６２でインク温度の判別する間隔としては、印刷モードが選択されてから印刷開始後のスリープモードまで所定周期で判別を行い、スリープモード終了後、再度インクの温度判別を行う。これにより、大量の印刷処理を行う場合であっても、常にインクの温度を保証温度範囲内に制御することができる。
【００３７】
演算手段６３は、制御判別手段６２からウォームアップ時間算出信号を入力すると、温度検出手段５１ａで検出した現在のインクの温度と記憶手段６１に記憶された使用するインクの保証温度との差分値、印刷モード（モノクロ印刷又はフルカラー印刷）に応じたヒータ５５への印加電力量、予め実験や装置仕様により求められた循環流路５９ｂ内のインク量や流路におけるインクの放熱量、循環流路内のインク量、前回の印刷モードに関する情報（すなわち、前回の印刷で使用したインク情報）などに基づき、インクが保証温度に達するまでのウォームアップ時間を印刷モード毎に算出している。そして、演算手段６３は、この算出した印刷モード毎のウォームアップ時間をウォームアップ時間情報として表示制御手段６４に出力している。
【００３８】
表示制御手段６４は、演算手段６３からウォームアップ時間情報を入力すると、図４に示すように、操作表示部４０にウォームアップ時間を視認可能に表示するとともに、印刷モードを変更するための選択ボタンの表示を行っている。図示の例では、操作表示部４０にＫインクを使用したモノクロ印刷のウォームアップ時間とそれに対応したプログレスバー、ＣＭＹＫの４色インクを使用したフルカラー印刷のウォームアップ時間とそれに対応したプログレスバー表示をそれぞれ表示している。
【００３９】
また、表示制御手段６４は、印刷処理終了後に控えている次回の印刷ジョブがある場合、演算手段６３からウォームアップ時間情報を入力すると、図５に示すように操作表示部４０にウォームアップ時間を視認可能に表示するとともに、印刷モードを変更するための選択ボタンの表示を行っている。図示の例では、操作表示部４０にＫインクを使用したモノクロ印刷のウォームアップ時間、ＣＭＹＫの４色インクを使用したフルカラー印刷のウォームアップ時間をそれぞれ表示し、さらに印刷モードを変更するための選択ボタンが表示されている。
【００４０】
従って、ユーザは、図４、５に示す表示内容からウォームアップ時間を把握することができ、画質ではなく時間を要求している場合は、ウォームアップ時間の短いモードを選択することが可能となる。また、ユーザによって印刷モードが選択されると、操作表示部４０から選択された印刷モードを示す印刷モード情報が電力制御手段６５に出力される。
【００４１】
電力制御手段６５は、操作表示部４０からの印刷モード情報と制御判別手段６２からの温度制御情報を入力したとき、この印刷モードに応じた電力を温度調節部５８に供給している。すなわち、電力制御手段６５は、温度制御情報が加温制御を示す情報であった場合は、選択された印刷モードに使用するインクを加温するヒータ５５に対し、印刷モードに応じた最適な電力を供給する。また、温度制御情報が冷却制御を示す情報であった場合は、選択された印刷モードに使用するインクを冷却するファン５７に対し、印刷モードに応じた最適な電力を供給している。さらに、電力制御手段６５は、制御判別手段６２から温度制御停止信号を入力すると、温度調節部５８に対する電力供給を停止する。
【００４２】
ここで、図６〜８を参照しながら、ユーザがモノクロ印刷又はフルカラー印刷を選択したときの各ヒータ５５への電力供給制御について説明する。
【００４３】
図６〜８に示すように、本例の画像形成装置１では、電源装置のコスト制約やオフィスでの設置を目的としているため、インクを加温するヒータ５５に供給できる総電力はＰ＝Ｖ0 Ｉ0 （Ｐ、Ｖ0 、Ｉ0 はそれぞれ一定の値とする）とし、各インクを加温するヒータ５５（Ｃヒータ５５ａ、Ｍヒータ５５ｂ、Ｙヒータ５５ｃ、Ｋヒータ５５ｄ）はそれぞれが最大Ｐの電力が供給可能なヒータ５５を備えた構成である。また、電源装置からの電力供給は、印刷モードやインクのウォームアップ状態に応じて切替可能なスイッチ７０〜７３を切り替えることで各ヒータ５５への電力供給が制御している。
なお、以下の説明では、インク加温時の電力制御のみを説明するが、インク冷却時の電力制御も同様である。
【００４４】
（モノクロ印刷選択時）
ユーザにより印刷モードとしてモノクロ印刷が選択されると、図示のようにスイッチ７０〜７２がＯＦＦとなり、スイッチ７３ＯＮになる。従って、フルカラー印刷時にインクを加温するのに必要なＣヒータ５５ａ、Ｍヒータ５５ｂ、Ｙヒータ５５ｃへ供給する電力を、モノクロ印刷時に使用するＫインクを加温するのに必要なＫヒータ５５ｄへ供給するため、Ｋヒータ５５ｄに流れる電流はＩ0 ＝Ｉ4 となる。
これにより、モノクロ印刷時の各インクのヒータ５５ａ〜５５ｄに供給される電力を示すと、
ＰC ＝０、ＰM ＝０、ＰY ＝０、ＰK ＝Ｖ0 ×Ｉ0 ＝Ｖ0 ×Ｉ4 ＝Ｐとなり、総電力ＰがＫヒータ５５ｄにのみ電力が供給される。
【００４５】
（フルカラー印刷選択時）
ユーザにより印刷モードとしてフルカラー印刷が選択されると、図示のようにスイッチ７０〜７３がＯＮとなる。従って、フルカラー印刷時に使用するＣＭＹＫインクを加温するのに必要なＣヒータ５５ａ、Ｍヒータ５５ｂ、Ｙヒータ５５ｃ、Ｋヒータ５５ｄにそれぞれ１／４Ｐずつ電力が供給され、総電流はＩ0 ＝Ｉ1 ＋Ｉ2 ＋Ｉ3 ＋Ｉ4 となる。
これにより、フルカラー印刷時の各インクのヒータ５５ａ〜５５ｄに供給される電力を示すと、
ＰC ＝Ｖ0 ×Ｉ1 ＝１／４Ｐ、ＰM ＝Ｖ0 ×Ｉ2 ＝１／４Ｐ、ＰY ＝Ｖ0 ×Ｉ3 ＝１／４Ｐ、ＰK ＝Ｖ0 ×Ｉ4 ＝１／４Ｐとなり、Ｃヒータ５５ａ、Ｍヒータ５５ｂ、Ｙヒータ５５ｃ、Ｋヒータ５５ｄへそれぞれ１／４Ｐずつ電力が供給される。
【００４６】
また、例えば前回の印刷モードがモノクロ印刷であった場合に、フルカラー印刷が選択されると、Ｋインクはウォームアップが完了してるため、フルカラー印刷で使用するＣインク、Ｍインク、Ｙインクのみをウォームアップさせている。すなわち、ウォームアップが完了しているインクのヒータには電力を供給せず、ウォームアップが必要なインクのヒータにその分の電力を供給することで、ウォームアップ時間の短縮を図っている。
【００４７】
（前回の印刷モードと異なる印刷モード選択時）
前回の印刷がモノクロ印刷のとき、ユーザにより次回の印刷モードとしてフルカラー印刷が選択されると、図８に示すように、スイッチ７０〜７２がＯＮとなり、スイッチ７３がＯＦＦになる。従って、フルカラー印刷時に使用するウォームアップ済みのＫインク以外のＣＭＹインクを加温するのに必要なＣヒータ５５ａ、Ｍヒータ５５ｂ、Ｙヒータ５５ｃにそれぞれ電力が供給され、総電流はＩ0 ＝Ｉ1 ＋Ｉ2 ＋Ｉ3 となる。
これにより、フルカラー印刷時の各インクのヒータ５５ａ〜５５ｃに供給される電力を示すと、
ＰC ＝Ｖ0 ×Ｉ1 ＝１／３Ｐ、ＰM ＝Ｖ0 ×Ｉ2 ＝１／３Ｐ、ＰY ＝Ｖ0 ×Ｉ3 ＝１／３Ｐ、ＰK ＝０となり、Ｃヒータ５５ａ、Ｍヒータ５５ｂ、Ｙヒータ５５ｃへそれぞれ１／３Ｐずつ電力が供給される。
【００４８】
［画像形成装置の処理動作］
次に、上述した画像形成装置１の処理動作として、図９に示す電源投入から印刷開始するまでのウォームアップ処理、図１０に示す前回の印刷処理終了後における次回の印刷ジョブのウォームアップ処理についてそれぞれ説明する。
なお、以下の処理動作において、印刷モードはモノクロ印刷とフルカラー印刷の２種類とし、インクの温度制御を加温制御とした例である。
【００４９】
＜印刷開始時のウォームアップ処理＞
まず、図９を参照しながら、電源投入から印刷開始するまでのウォームアップ処理について説明する。
図示のように、電源投入から印刷開始までのウォームアップ処理としては、まずユーザにより電源が投入されると（ＳＴ１）、温度検出手段５１ａがインクの温度を検出し（ＳＴ２）、そのインクが保証温度に達しているか否かを判別する（ＳＴ３）。
【００５０】
このとき、検出したインクが保証温度に達していると判別した場合は（ＳＴ３−Ｙｅｓ）、インクのウォームアップが完了しているため、直ちに選択された印刷モードに応じた印刷処理を行い（ＳＴ１３）、処理を終了する。
一方、検出したインクが保証温度に達していないと判別した場合は（ＳＴ３−Ｎｏ）、制御部６０においてモノクロ印刷とフルカラー印刷それぞれのウォームアップ時間を算出し（ＳＴ４）、算出したウォームアップ時間と印刷モード変更用の選択ボタンを操作表示部４０に表示する（ＳＴ５）。
【００５１】
ユーザは、例えば図４に示すような表示内容でウォームアップ時間を確認し、表示された選択ボタンによって所望の印刷モードを選択する（ＳＴ６）。そして、操作表示部４０で選択された印刷モードがモノクロ印刷か否かを判別する（ＳＴ７）。
【００５２】
このとき、選択された印刷モードがモノクロ印刷であった場合は（ＳＴ７−Ｙｅｓ）、スイッチ７０〜７２をＯＦＦに、スイッチ７３をＯＮにし、モノクロ印刷で使用するＫインクを加温するべく、Ｋヒータ５５ｄに電力Ｐを供給する（ＳＴ８）。これにより、モノクロ印刷を行うのに使用するＫヒータ５５ｄにのみ電力が供給され、Ｋインクを保証温度になるまで加温する。
一方、選択された印刷モードがモノクロ印刷でなかった場合は（ＳＴ７−Ｎｏ）、スイッチ７０〜７３をＯＮにし、フルカラー印刷で使用するＣＭＹＫインクを加温するべく、Ｃヒータ５５ａ、Ｍヒータ５５ｂ、Ｙヒータ５５ｃ、Ｋヒータ５５ｄにそれぞれ１／４Ｐずつ電力を供給する（ＳＴ９）。これにより、フルカラー印刷を行うのに使用するＣＭＹＫインクをそれぞれ保証温度になるまで加温する。
【００５３】
ＳＴ８、ＳＴ９において、印刷モードに応じてヒータ５５に電力供給されると、次にインクの温度監視を行い（ＳＴ１０）、インクが保証温度に達したか否かの判別を行う（ＳＴ１１）。
【００５４】
このとき、インクが保証温度に達した場合（ＳＴ１１−Ｙｅｓ）は、温度調節部５８への電力供給を停止する（ＳＴ１２）。そして、インクのウォームアップが完了したため、印刷モードに応じた印刷処理を行い（ＳＴ１３）、処理を終了する。
一方、インクが保証温度に達していない場合は（ＳＴ１１−Ｎｏ）、引き続き温度調節部５８への電力供給を行ってインクの温度制御を行うため、再度ＳＴ１０へ戻る。
【００５５】
＜次回の印刷ジョブのウォームアップ処理＞
次に、図１０を参照しながら、前回の印刷処理終了後における次回の印刷ジョブのウォームアップ処理について説明する。ここでは、前回の印刷モードがモノクロ印刷であった場合を例にとって説明する。
【００５６】
図示のように、前回の印刷処理終了後における次回の印刷ジョブのウォームアップ処理としては、まず前回の印刷処理であるモノクロ印刷終了後に控えている次回の印刷ジョブがフルカラー印刷であるか否かを判別する（ＳＴ２１）。
【００５７】
このとき、次回の印刷ジョブがフルカラー印刷であった場合は（ＳＴ２１−Ｙｅｓ）、制御部６０において前回の印刷モードと異なるモードであるフルカラー印刷のウォームアップ時間を算出し（ＳＴ２２）、算出したウォームアップ時間と印刷モード変更用の選択ボタンを操作表示部４０に表示する（ＳＴ２３）。すなわち、印刷モードが前回と同じモノクロ印刷は、既にウォームアップ済みであるためウォームアップ時間を算出せず、ウォームアップが必要なフルカラー印刷のウォームアップ時間のみを算出している。
一方、次回の印刷ジョブがフルカラー印刷でなかった場合は（ＳＴ２１−Ｎｏ）、印刷モードが前回の印刷モードと同じモノクロ印刷でありＫインクがウォームアップ済みであるため、直ちに印刷モードに応じた印刷処理を行い（ＳＴ３０）、処理を終了する。
【００５８】
ＳＴ２３において、ユーザは、例えば図５に示すような表示内容でウォームアップ時間を確認し、表示された選択ボタンによって所望の印刷モードを選択する（ＳＴ２４）。そして、印刷モードがフルカラー印刷であるか否かを判別する（ＳＴ２５）。
【００５９】
このとき、印刷モードが変更されずにフルカラー印刷のままであった場合は（ＳＴ２５−Ｙｅｓ）、フルカラー印刷に使用するインクのウォームアップを開始するため、スイッチ７０〜７２をＯＮにし、ウォームアップ済みのＫインク以外のフルカラー印刷で使用するＣＭＹインクを加温するべく、Ｃヒータ５５ａ、Ｍヒータ５５ｂ、Ｙヒータ５５ｃにそれぞれに１／３Ｐずつ電力を供給する（ＳＴ２６）。これにより、フルカラー印刷を行うのに使用するＣＭＹインクをそれぞれ保証温度になるまで加温する。
一方、印刷モードがフルカラー印刷からモノクロ印刷に変更された場合は（ＳＴ２５−Ｎｏ）、印刷モードが前回の印刷モードと同じモノクロ印刷でありＫインクがウォームアップ済みであるため、直ちに印刷モードに応じた印刷処理を行い（ＳＴ３０）、処理を終了する。
【００６０】
ＳＴ２６において、印刷モードに応じた電力がヒータ５５に供給されると、次にインクの温度監視を行い（ＳＴ２７）、インクが保証温度に達したか否かの判別を行う（ＳＴ２８）。
【００６１】
このとき、インクが保証温度に達した場合（ＳＴ２８−Ｙｅｓ）は、ヒータ５５への電力供給を停止する（ＳＴ２９）。そして、インクのウォームアップが完了したため、印刷モードに応じた印刷処理を行い（ＳＴ３０）、処理を終了する。
一方、インクが保証温度に達していない場合は（ＳＴ２８−Ｎｏ）、引き続き温度調節部５８への電力供給を行ってインクの温度制御を行うため、再度ＳＴ２７へ戻る。
【００６２】
以上説明したように、上述した画像形成装置１は、印刷開始時において循環流路５９ｂ内を循環するインクの温度を検出し、この温度が保証温度に達しているか否かを判別する。そして、インクの温度が保証温度に達していない状態で印刷モードとして単色印刷が選択された場合に、複数色印刷時に使用するインク温度制御用の電力を、単色印刷に使用するインク温度制御用として供給してウォームアップを行っている。
【００６３】
これにより、単色印刷の際に、印刷モードが単色印刷の際に、ウォームアップ時に温度調節を行わない複数色印刷で使用するインク温度調節用の電力を単色印刷で使用するインク温度調節用の電力に加えて供給して単色印刷で使用するインクの温度制御を行うため、ウォームアップ効率が向上し、従来よりもウォームアップ時間を短縮することができ、延いては印刷時間の短縮にもつながり作業効率が向上する。
【００６４】
また、このような構成を備えることで、インクジェットへッド５１ａがライン型で、且つ大量印刷を目的とする産業用の画像形成装置において、ウォームアップ時間が格段に短縮され、作業効率の向上が図れる。
【００６５】
さらに、画像形成装置１では、印刷開始時にインクの温度が保証温度に達しているか否かを判別し、保証温度に達していない場合に、印刷モード毎のインクのウォームアップ時間を算出して表示するとともに、表示内容に応じて印刷モードを変更するための選択ボタンの表示も行っている。
【００６６】
これにより、ユーザにウォームアップが完了するまでに要する時間を認知させてから印刷モードが選択できるようになり、画質要求度より時間要求度が高いユーザに対して画質の選択肢に加えて印刷時間の選択肢を与えることができる。
【００６７】
ところで、上述した形態において、単色印刷としてＫインクを用いた「モノクロ印刷」、複数色印刷としてＣＭＹＫの４色を用いた「フルカラー印刷」を行う構成とした例で説明したが、これに限定されることはなく、装置の使用環境に応じて例えば単色印刷を「単色カラー印刷」、複数色印刷を「２色印刷」にするなど、単色印刷や複数色印刷の印刷内容を任意に組み合わせることができる。
【００６８】
また、ウォームアップ時間の表示制御として、図４では印刷モードを変更するための選択ボタンが表示されていない例、図５ではウォームアップ時間にプログレスバーが表示されていない例をあげて説明したが、これに限定されることはなく、使用環境や装置構成に応じて印刷モードを変更するための選択ボタンやウォームアップ時間のプログレスバーを表示することもできる。
【００６９】
さらに、各インクを温度調節する温度調節部５８のヒータ５５やファン５７の装置仕様として最大Ｐの電力が供給可能としているが、選択された印刷モードで使用しないインクの温度調節部５８に供給される電力を印刷時に使用するインクの温度調節部５８に対して追加供給する構成であれば良いため、例えば供給可能な電力が最大１／４Ｐのヒータ５５又はファン５７を４つ組み合わせて最大Ｐの電力供給が可能なヒータ５５とする構造にしても同様の効果を奏することができる。
【００７０】
また、上述した形態では、インクジェットへッド５１ａとして被記録媒体の搬送方向と直交する方向と平行に配置され、前記被記録媒体の記録可能な全幅に対応した長さを有するライン型インクジェットヘッドを採用した画像形成装置として説明したが、インクジェットへッド５１ａとして印字幅方向に往復移動させながら被記録媒体に印刷が行われるシリアル型インクジェットヘッドであってもインクのウォームアップ時間短縮を図ることができる。
【００７１】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【符号の説明】
【００７２】
１…画像形成装置
１０…給紙部
１１…給紙トレイ
２０…画像形成部
３０…排紙部
３１…排紙トレイ
４０…操作表示部
４１…表示パネル
４２…操作キー
５０…インクボトル
５１…ヘッドユニット（５１ａ…インクジェットへッド、５１ｂ…温度検出手段）
５２…下部タンク
５３…上部タンク
５４…ポンプ
５５…ヒータ（５５ａ…Ｃヒータ、５５ｂ…Ｍヒータ、５５ｃ…Ｙヒータ、５５ｄ…Ｋヒータ）
５６…ヒートシンク
５７…ファン
５８…温度調節部
５９…インク流路（５９ａ…供給流路、５９ｂ…循環流路）
６０…制御部
６１…記憶手段
６２…制御判別手段
６３…演算手段
６４…表示制御手段
６５…電力制御手段
７０〜７３…スイッチ
【図１】
2010274448.tif 000003
【図２】
2010274448.tif 000004
【図３】
2010274448.tif 000005
【図４】
2010274448.tif 000006
【図５】
2010274448.tif 000007
【図６】
2010274448.tif 000008
【図７】
2010274448.tif 000009
【図８】
2010274448.tif 000010
【図９】
2010274448.tif 000011
【図１０】
2010274448.tif 000012